【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
液体を吐出する吐出口が各々配列され、互いに並列する第１および第２の吐出口列と、
前記第１および第２の吐出口列に対応して設けられる第１および第２の圧力室列であって、液体を吐出するために利用されるエネルギーを発生する記録素子を内部に備えるとともに前記吐出口と吐出口部を介して連通する圧力室が各々配列される第１および第２の圧力室列と、
前記第１の圧力室列に液体を供給する第１の液体供給路と、前記第１の圧力室列から液体を回収する第１の液体回収路と、
前記第２の圧力室列に液体を供給する第２の液体供給路と、前記第２の圧力室列から液体を回収する第２の液体回収路と、
が設けられる記録素子基板を備え、
前記第１の液体供給路、前記第１の液体回収路、前記第２の液体供給路、前記第２の液体回収路がこの順に並列して設けられており、
記録の際には、前記第１および第２の圧力室列に含まれる複数の前記圧力室の各々において、前記液体供給路から前記圧力室を介して前記液体回収路に流れる前記圧力室内の液体の流れ方向は同一方向であり、
前記圧力室の、前記吐出口部との連通部分に対して前記液体の流れ方向の上流側での高さＨと、前記吐出口部の液体の吐出方向における長さＰと、前記吐出口部の前記液体の流れ方向における長さＷとが、
Ｈ−０．３４×Ｐ−０．６６×Ｗ＞１．７
の関係を満たす場合、
前記第１および第２の圧力室列に含まれる複数の前記圧力室の各々の内部を流れる液体の流れ方向は、前記液体吐出ヘッドに対する被記録媒体の相対的な移動方向と反対方向である、液体吐出ヘッド。
【請求項２】
液体を吐出する吐出口が各々配列され、互いに並列する第１および第２の吐出口列と、
前記第１および第２の吐出口列に対応して設けられる第１および第２の圧力室列であって、液体を吐出するために利用されるエネルギーを発生する記録素子を内部に備えるとともに前記吐出口と吐出口部を介して連通する圧力室が各々配列される第１および第２の圧力室列と、
前記第１の圧力室列に液体を供給する第１の液体供給路と、前記第１の圧力室列から液体を回収する第１の液体回収路と、
前記第２の圧力室列に液体を供給する第２の液体供給路と、前記第２の圧力室列から液体を回収する第２の液体回収路と、
が設けられる記録素子基板を備え、
前記第１の液体供給路、前記第１の液体回収路、前記第２の液体供給路、前記第２の液体回収路がこの順に並列して設けられており、
記録の際には、前記第１および第２の圧力室列に含まれる複数の前記圧力室の各々において、前記液体供給路から前記圧力室を介して前記液体回収路に流れる前記圧力室内の液体の流れ方向は同一方向であり、
前記圧力室の、前記吐出口部との連通部分に対して前記液体の流れ方向の上流側での高さＨと、前記吐出口部の液体の吐出方向における長さＰと、前記吐出口部の前記液体の流れ方向における長さＷとが、
Ｈ−０．３４×Ｐ−０．６６×Ｗ≦１．７
の関係を満たす場合、
前記第１および第２の圧力室列に含まれる複数の前記圧力室の各々の内部を流れる液体の流れ方向は、前記液体吐出ヘッドに対する被記録媒体の相対的な移動方向と同一方向である、液体吐出ヘッド。
【請求項３】
前記記録素子基板は、前記吐出口を備える吐出口形成部材と、前記記録素子を備える基板と、を含む、請求項１または２に記載の液体吐出ヘッド。
【請求項４】
前記第１および第２の液体供給路と、前記第１および第２の液体回収路の夫々は、前記第１の吐出口列の延在方向に沿って延在している、請求項１から３のいずれか１項に記載の液体吐出ヘッド。
【請求項５】
前記第１および第２の供給口と、前記第１および第２の回収口の夫々は、前記基板の前記記録素子が設けられる面に交差する方向に延在している、請求項３に記載の液体吐出ヘッド。
【請求項６】
前記記録素子は、液体を吐出するために利用される熱エネルギーを発生する発熱素子である、請求項１から５のいずれか１項に記載の液体吐出ヘッド。
【請求項７】
前記液体供給路から前記圧力室を介して前記液体回収路に流れる前記圧力室内を流れる液体の流速は、０．１〜１００ｍｍ／ｓである、請求項１から６のいずれか１項に記載の液体吐出ヘッド。
【請求項８】
前記第１および第２の吐出口列から夫々異なる種類の液体が吐出される、請求項１から７のいずれか１項に記載の液体吐出ヘッド。
【請求項９】
前記第１および第２の吐出口列から同じ種類の液体が吐出される、請求項１から７のいずれか１項に記載の液体吐出ヘッド。
【請求項１０】
ページワイド型の液体吐出ヘッドであって、
複数の前記記録素子基板と、
前記複数の記録素子基板を支持するとともに、前記複数の記録素子基板に液体を供給する共通供給流路と、前記複数の記録素子基板から液体を回収する共通回収流路と、を備える流路部材と、
を有する、請求項１から９のいずれか１項に記載の液体吐出ヘッド。
【請求項１１】
前記複数の記録素子基板が直線状に配列されている、請求項１０に記載の液体吐出ヘッド。
【請求項１２】
前記複数の記録素子基板の各々の外形形状は平行四辺形である、請求項１０または１１に記載の液体吐出ヘッド。
【請求項１３】
前記基板は、当該基板の温度を調節する温度調節手段を有する、請求項３に記載の液体吐出ヘッド。
【請求項１４】
前記第１および第２の圧力室列に含まれる複数の前記圧力室内の液体は外部との間で循環される、請求項１から１３のいずれか１項に記載の液体吐出ヘッド。
【手続補正２】
【補正対象書類名】明細書
【補正対象項目名】０００５
【補正方法】変更
【補正の内容】
【０００５】
上述した目的を達成するために、本発明の液体吐出ヘッドは、液体を吐出する吐出口が各々配列され、互いに並列する第１および第２の吐出口列と、前記第１および第２の吐出口列に対応して設けられる第１および第２の圧力室列であって、液体を吐出するために利用されるエネルギーを発生する記録素子を内部に備えるとともに前記吐出口と吐出口部を介して連通する圧力室が各々配列される第１および第２の圧力室列と、前記第１の圧力室列に液体を供給する第１の液体供給路と、前記第１の圧力室列から液体を回収する第１の液体回収路と、前記第２の圧力室列に液体を供給する第２の液体供給路と、前記第２の圧力室列から液体を回収する第２の液体回収路と、が設けられる記録素子基板を備え、前記第１の液体供給路、前記第１の液体回収路、前記第２の液体供給路、前記第２の液体回収路がこの順に並列して設けられており、記録の際には、前記第１および第２の圧力室列に含まれる複数の前記圧力室の各々において、前記液体供給路から前記圧力室を介して前記液体回収路に流れる前記圧力室内の液体の流れ方向は同一方向である。一態様では、前記圧力室の、前記吐出口部との連通部分に対して前記液体の流れ方向の上流側での高さＨと、前記吐出口部の液体の吐出方向における長さＰと、前記吐出口部の前記液体の流れ方向における長さＷとが、Ｈ−０．３４×Ｐ−０．６６×Ｗ＞１．７の関係を満たす場合、前記第１および第２の圧力室列に含まれる複数の前記圧力室の各々の内部を流れる液体の流れ方向は、前記液体吐出ヘッドに対する被記録媒体の相対的な移動方向と反対方向であり、他の態様では、前記圧力室の、前記吐出口部との連通部分に対して前記液体の流れ方向の上流側での高さＨと、前記吐出口部の液体の吐出方向における長さＰと、前記吐出口部の前記液体の流れ方向における長さＷとが、Ｈ−０．３４×Ｐ−０．６６×Ｗ≦１．７の関係を満たす場合、前記第１および第２の圧力室列に含まれる複数の前記圧力室の各々の内部を流れる液体の流れ方向は、前記液体吐出ヘッドに対する被記録媒体の相対的な移動方向と同一方向である。